(57)【要約】【課題】ケーブル接続部構造の変更があっても構成部品をそのまま使用することができるとともに、大掛かりな布設工事をする必要がなく、かつケーブル接続部構造の変更に費やす工期を短縮することができる柱上用Ｔ分岐接続部を提供する。【解決手段】圧縮スリーブ２ｄ，３ｄ及びオス端子２ｅ，３ｅを有するＬ形接続部２，３と、Ｌ形接続部２，３間に着脱可能に配置され、圧縮スリーブ４ｆ及びオス端子４ｇ，４ｈを有するＴ形接続部４と、Ｔ形接続部４のオス端子４ｇ，４ｈ及びＬ形接続部２，３のオス端子２ｅ，３ｅに接続可能なメス端子５ａ，５ｂ（図示せず），６ａ，６ｂを有する直線ユニット５，６とを備えた。【選択図】図１
2008109734.tif 000002
【特許請求の範囲】
【請求項１】
第１ケーブル接続用端子及び第１ユニット接続用端子を有する１対の第１接続部と、
前記１対の第１接続部間に着脱可能に配置され、第２ケーブル接続用端子及び１対の第２ユニット接続用端子を有する第２接続部と、
前記第２接続部の前記１対の第２ユニット接続用端子及び前記１対の第１接続部の前記第１ユニット接続用端子に接続可能な１対の端子を有する１対の接続部ユニットと
を備えたことを特徴とする柱上用Ｔ分岐接続部。
【請求項２】
第１ケーブル接続用端子及び第１ユニット接続用端子を有する１対のＬ形接続部と、
前記１対のＬ形接続部間に着脱可能に配置され、前記第１ケーブル接続用端子及び前記第１ユニット接続用端子と同一の平面内に第２ケーブル接続用端子及び１対の第２ユニット接続用端子を有するＴ形接続部と、
前記１対のＬ形接続部のうち一方のＬ形接続部と前記Ｔ形接続部との間及び前記１対のＬ形接続部のうち他方のＬ形接続部と前記Ｔ形接続部との間にそれぞれ着脱可能に配置され、前記Ｔ形接続部の前記１対の第２ユニット接続用端子のうち対応する第２ユニット接続用端子及び前記１対のＬ形接続部の前記第１ユニット接続用端子のうち対応するＬ形接続部の第１ユニット接続用端子にそれぞれ接続可能な１対の端子を有する１対の直線ユニットと
を備えたことを特徴とする柱上用Ｔ分岐接続部。
【発明の詳細な説明】
【技術分野】
【０００１】
本発明は、ケーブル接続部構造に関し、特に電柱上における例えば２２，２３ｋＶの特高圧電力ケーブルを接続する場合に用いられる柱上用Ｔ分岐接続部に関するものである。
【背景技術】
【０００２】
従来、電柱上で電力ケーブルの分岐が必要でない箇所においては、直線接続部型のケーブル接続部構造を用いて２本の電力ケーブルを接続していた。
【０００３】
また、電力ケーブルの分岐（３分岐）が必要である箇所においては、３分岐型のケーブル接続部構造を用いて３本の電力ケーブルを接続していた（特許文献１参照）。
【０００４】
２本の電力ケーブルを接続した直線接続部が既に布設されている箇所において新たに電力供給する必要が生じた場合にも、３分岐型のケーブル接続部構造を電柱上に布設することが行われる。
【０００５】
電力ケーブルの分岐接続部構造としては、架空ケーブルを地中まで一旦下ろし、管路とマンホールを用いて地中で分岐するものもある。
【特許文献１】特開昭５９−８６４１０号公報（第５図）
【発明の開示】
【発明が解決しようとする課題】
【０００６】
しかし、上記した従来のケーブル接続部構造においては、次に示すような問題があった。
【０００７】
（電柱上で電力ケーブルを接続する場合）
（１）２本の電力ケーブルを接続する直線接続部が既に布設されている箇所において、３分岐接続部（Ｔ分岐接続部）に変更する布設をする場合には、直線接続部を除去してから、新たなＴ分岐接続部を布設する必要があるため、直線接続部に用いていた構成部品を再使用（再利用）することができずに廃棄することになる。
【０００８】
（２）上記（１）における直線接続部の除去に際しては電力ケーブルを切断するため、ケーブル長が短くなり、電力ケーブルを１スパン分新規に布設しなければならない場合が生じ、この場合には大掛かりな布設工事が必要になる。
【０００９】
（３）Ｔ分岐接続部から直線接続部に変更する場合（予めＴ分岐接続部を布設し、最終的には直線接続部を採用してＴ分岐接続部を採用しなかった場合）には、その接続部構造の点から対応することが不可能で、Ｔ分岐接続部が無駄になる。
【００１０】
（地中で電力ケーブルを接続する場合）
電力ケーブルの分岐の仕様や設置形態を比較的自由に選択することができるものの、土木工事を必要とし、工期が長く掛かる。
【００１１】
従って、本発明の目的は、ケーブル接続部構造の変更があっても構成部品をそのまま使用（再利用）することができるとともに、大掛かりな布設工事をする必要がなく、かつケーブル接続部構造の変更に費やす工期を短縮することができる柱上用Ｔ分岐接続部を提供することにある。
【課題を解決するための手段】
【００１２】
（１）本発明は、上記目的を達成するために、第１ケーブル接続用端子及び第１ユニット接続用端子を有する１対の第１接続部と、前記１対の第１接続部間に着脱可能に配置され、第２ケーブル接続用端子及び１対の第２ユニット接続用端子を有する第２接続部と、前記第２接続部の前記１対の第２ユニット接続用端子及び前記１対の第１接続部の前記第１ユニット接続用端子に接続可能な１対の端子を有する１対の接続部ユニットとを備えたことを特徴とする柱上用Ｔ分岐接続部を提供する。
【００１３】
（２）本発明は、更に上記目的を達成するために、第１ケーブル接続用端子及び第１ユニット接続用端子を有する１対のＬ形接続部と、前記１対のＬ形接続部間に着脱可能に配置され、前記第１ケーブル接続用端子及び前記第１ユニット接続用端子と同一の平面内に第２ケーブル接続用端子及び１対の第２ユニット接続用端子を有するＴ形接続部と、前記１対のＬ形接続部のうち一方のＬ形接続部と前記Ｔ形接続部との間及び前記１対のＬ形接続部のうち他方のＬ形接続部と前記Ｔ形接続部との間にそれぞれ着脱可能に配置され、前記Ｔ形接続部の前記１対の第２ユニット接続用端子のうち対応する第２ユニット接続用端子及び前記１対のＬ形接続部の前記第１ユニット接続用端子のうち対応するＬ形接続部の第１ユニット接続用端子にそれぞれ接続可能な１対の端子を有する１対の直線ユニットとを備えたことを特徴とする柱上用Ｔ分岐接続部を提供する。
【発明の効果】
【００１４】
本発明によると、ケーブル接続部構造の変更があっても構成部品をそのまま使用（再利用）することができるとともに、大掛かりな布設工事をする必要がなく、かつケーブル接続部構造の変更に費やす工期を短縮することができる。
【発明を実施するための最良の形態】
【００１５】
[実施の形態]
図１は、本発明の実施の形態に係る柱上用Ｔ分岐接続部を示す断面図である。
【００１６】
（柱上用Ｔ分岐接続部の全体構成）
図１において、柱上用Ｔ分岐接続部１は、電力ケーブルＣ１，Ｃ２をそれぞれ接続するＬ形接続部（第１接続部）２，３と、電力ケーブルＣ３を接続するＴ形接続部（第２接続部）４と、このＴ形接続部４とＬ形接続部２とを及びＴ形接続部４とＬ形接続部３とをそれぞれ接続する直線部ユニット５，６とを備えている。そして、全体が平面略ヨ字状を呈し、３本の電力ケーブルＣ１，Ｃ２，Ｃ３を接続する柱上用の３分岐型のケーブル接続部構造として機能するように構成されている。また、柱上用Ｔ分岐接続部１は、直線ユニット５，６のうちいずれか一方の直線ユニット及びＬ形接続部２，３を用い、２本の電力ケーブルＣ１，Ｃ２を接続する柱上用の直線接続部型であって、全体が平面略逆Ｕ字状を呈するケーブル接続部構造から柱上Ｔ分岐構造へ変更し得るように構成されている。
【００１７】
（Ｌ形接続部２，３の構成）
Ｌ形接続部２は、Ｌ形ターミネータ本体２Ａ及び端子機構２Ｂを有し、Ｔ形接続部４の左側に配置されている。
【００１８】
Ｌ形ターミネータ本体２Ａは、右方及び下方に開口するＬ形管体によって形成されている。Ｌ形ターミネータ本体２ＡのＬ字曲部近傍には、外部に露出する検電機構７が取り付けられている。Ｌ形ターミネータ本体２Ａの右方開口内面には、直線ユニット５の軸線方向略中央部に嵌合する環状の第１膨出部２ａが一体に設けられている。Ｌ形ターミネータ本体２Ａの右方開口外面には、押え金具ａに嵌合する環状の第２膨出部２ｂが一体に設けられている。Ｌ形ターミネータ本体２Ａの下方開口内面には、電力ケーブルＣ１の外周面に粘着半導電性架橋ポリエチレンテープであるＡＣＰテープ８を介して適合する内面を有する当接部２ｃが設けられている。
【００１９】
電力ケーブルＣ１は、Ｌ形ターミネータ本体２Ａ内にその下方開口部から導入され、接地線付銅板９に接続されている。電力ケーブルＣ１の一部には、Ｌ形ターミネータ本体２Ａの下方開口部付近の部位に跨って導電性テープであるＣテープ１０が粘着半導電性架橋ポリエチレンテープ８を覆うように巻回され、さらに導電性テープ１０上に絶縁テープであるＵテープ１１を介して保護テープであるＳテープ１２が巻回されている。
【００２０】
端子機構２Ｂは、電力ケーブルＣ１の端末部に接続する第１ケーブル接続用端子としての圧縮スリーブ２ｄと、直線ユニット５に接続する第１ユニット接続用端子としてのオス端子２ｅとを有し、Ｌ形ターミネータ本体２Ａ内に収容されている。オス端子２ｅ及び圧縮スリーブ２ｄは、平面Ｌ字状となる位置に配置されている。
【００２１】
Ｌ形接続部３は、Ｌ形ターミネータ本体３Ａ及び端子機構３Ｂを有し、Ｔ形接続部４の右側に配置されている。
【００２２】
Ｌ形ターミネータ本体３Ａは、左方及び下方に開口するＬ形管体によって形成されている。Ｌ形ターミネータ本体３ＡのＬ字曲部近傍には、外部に露出する検電機構１３が取り付けられている。Ｌ形ターミネータ本体３Ａの左方開口内面には、直線ユニット６の軸線方向略中央部に嵌合する環状の第１膨出部３ａが一体に設けられている。Ｌ形ターミネータ本体３Ａの左方開口外面には、押え金具ｂに嵌合する環状の第２膨出部３ｂが一体に設けられている。Ｌ形ターミネータ本体３Ａの下方開口内面には、電力ケーブルＣ２の外周面にＡＣＰテープ８を介して適合する内面を有する当接部３ｃが設けられている。
【００２３】
電力ケーブルＣ２は、Ｌ形ターミネータ本体３Ａ内にその下方開口部から導入され、接地線付銅板１４が接続されている。電力ケーブルＣ２の一部には、Ｌ形ターミネータ本体３Ａの下方開口部付近の部位に跨ってＣテープ１０がＡＣＰテープ８を覆うように巻回され、さらにＣテープ１０上にＵテープ１１を介してＳテープ１２が巻回されている。
【００２４】
端子機構３Ｂは、電力ケーブルＣ２の端末部に接続する第１ケーブル接続用端子としての圧縮スリーブ３ｄと、直線ユニット６に接続する第１ユニット接続用端子としてのオス端子３ｅとを有し、Ｌ形ターミネータ本体３Ａ内に収容されている。オス端子３ｅ及び圧縮スリーブ３ｄは、オス端子２ｅ及び圧縮スリーブ３ｄと同一の平面内においてＬ字状となる位置に配置されている。
【００２５】
（Ｔ形接続部４の構成）
Ｔ形接続部４は、Ｔ形ターミネータ４Ａ及び端子機構４Ｂを有し、Ｌ形接続部２，３間に着脱可能に配置されている。
【００２６】
Ｔ形ターミネータ４Ａは、左方及び右方・下方に開口するＴ形管体によって形成されている。Ｔ形ターミネータ４Ａの左方開口内面には直線ユニット５の軸線方向略中央部に嵌合する環状の第１膨出部４ａが、またその右方開口内面には直線ユニット６の軸線方向略中央部に嵌合する環状の第２膨出部４ｂがそれぞれ一体に設けられている。Ｔ形ターミネータ４Ａの左方開口外面には押え金具ｃに嵌合する環状の第３膨出部４ｃが、またその右方開口外面には押え金具ｄに嵌合する環状の第４膨出部４ｄがそれぞれ一体に設けられている。Ｔ形ターミネータ４Ａの下方開口内面には、電力ケーブルＣ３の外周面にＡＣＰテープ８を介して適合する内面を有する当接部４ｅが設けられている。
【００２７】
押え金具ｃは押え金具ａと共に締付ボルトｅによって、また押え金具ｄは押え金具ｂと共に締付ボルトｆによってそれぞれ締め付けられている。これにより、Ｔ形ターミネータ４ＡとＬ形ターミネータ本体２Ａとが、またＴ形ターミネータ４ＡとＬ形ターミネータ本体３Ａとがそれぞれ互いに装着されている。
【００２８】
電力ケーブルＣ３は、Ｔ形ターミネータ４Ａ内にその下方開口部から導入されている。電力ケーブルＣ３の一部には、Ｔ形ターミネータ４Ａの下方開口部付近の部位に跨ってＣテープ１０がＡＣＰテープ８を覆うように巻回され、さらにＣテープ１０上にＵテープ１１を介してＳテープ１２が巻回されている。
【００２９】
端子機構４Ｂは、電力ケーブルＣ３の端末部に接続する第２ケーブル接続用端子としての圧縮スリーブ４ｆと、直線ユニット５，６にそれぞれ接続する第２ユニット接続用端子としてのオス端子４ｇ，４ｈとを有し、Ｔ形ターミネータ４Ａ内に収容されている。オス端子４ｇ，４ｈ及び圧縮スリーブ４ｆは、オス端子２ｅ・圧縮スリーブ２ｄ及びオス端子３ｅ・圧縮スリーブ３ｄと同一の平面内においてＴ字状となる位置に配置されている。
【００３０】
（直線ユニット５，６の構成）
直線ユニット５は、軸線方向中央部から両端部に向かって漸次小さくなる外径を有する柱状体によって形成されている。直線ユニット５の両端部には、左方及び右方にそれぞれ開口する凹部５Ａ，５Ｂ（凹部５Ａのみ図示）が設けられている。凹部５Ａ内にはＬ形接続部２のオス端子２ｅに接続するメス端子５ａが、また凹部５Ｂ内にはＴ形接続部４のオス端子４ｇに接続するメス端子５ｂ（図示せず）がそれぞれ取り付けられている。
【００３１】
なお、直線ユニット５のメス端子５ａ，５ｂは、それぞれＬ形接続部２のオス端子２ｅとＴ形接続部４のオス端子４ｇに接続する場合について説明したが、それぞれＴ形接続部４のオス端子４ｇとＬ形接続部２のオス端子２ｅにも、またＬ形接続部３のオス端子３ｅ及びＴ形接続部４のオス端子４ｈにも接続し得るように構成されている。
【００３２】
直線ユニット５には、Ｌ形ターミネータ本体２Ａの右方開口端部及びＴ形ターミネータ４Ａの左方開口端部を覆う保持具１５が取り付けられている。そして、保持具１５は、電柱（図示せず）に受具（図示せず）を介して設置し得るように構成されている。保持具１５には、含浸黄麻布１６を介して電力ケーブルＣ１，Ｃ３を保持するブラケット１７，１８が連結されている。
【００３３】
直線ユニット６は、直線ユニット５と同様に、軸線方向中央部から両端部に向かって漸次小さくなる外径を有する柱状体によって形成されている。直線ユニット６の両端部には、左方及び右方にそれぞれ開口する凹部６Ａ，６Ｂが設けられている。凹部６Ａ内にはＴ形接続部４のオス端子４ｈに接続するメス端子６ａが、また凹部６Ｂ内にはＬ形接続部３のオス端子３ｅに接続するメス端子６ｂがそれぞれ取り付けられている。
【００３４】
なお、直線部ユニット６のメス端子６ａ，６ｂは、それぞれＴ形接続部４のオス端子４ｈとＬ形接続部３のオス端子３ｅに接続する場合について説明したが、それぞれＬ形接続部３のオス端子３ｅとＴ形接続部４のオス端子４ｈにも、またＬ形接続部２のオス端子２ｅ及びＴ形接続部４のオス端子４ｇにも接続し得るように構成されている。
【００３５】
直線部ユニット６には、Ｌ形ターミネータ本体３Ａの左方開口端部及びＴ形ターミネータ４Ａの右方開口端部を覆う保持具１９が取り付けられている。そして、保持具１９は、電柱（図示せず）に受具２０を介して設置し得るように構成されている。保持具１９には、含浸黄麻布２１を介して電力ケーブルＣ２を保持するブラケット２２が連結されている。
【００３６】
次に、「Ｕ字形（直線接続部型）のケーブル接続部構造」から「ヨ字形（３分岐型）の柱上用Ｔ分岐接続部」に変更する方法につき、図２及び図３を用いて説明する。
【００３７】
図２及び図３は、本発明の実施の形態に係る柱上用Ｔ分岐接続部（ヨ字形のケーブル接続部構造）にＵ字形のケーブル接続構造から変更する方法について説明するために示す断面図である。図２はヨ字形の柱上用Ｔ分岐接続部を、また図３はＵ字形のケーブル接続部構造をそれぞれ示す。
【００３８】
図３に示すＵ字形のケーブル接続部構造１００から図２に示すヨ字形の柱上用Ｔ分岐接続部１に変更するには、「Ｌ形接続部の離脱」及び「Ｔ形接続部の装着」の各工程が順次実施されるため、これら各工程を順次説明する。なお、Ｕ字形のケーブル接続部構造１００においては、直線ユニット６（メス端子６ａ，６ｂ）と端子機構２Ｂ，３Ｂ（オス端子２ｅ，３ｅ）とが接続され、押え金具ａ，ｂが締め付けられている。また、電力ケーブルＣ１，Ｃ２がそれぞれ端子機構２Ｂ，３Ｂ（圧着スリーブ２ｄ，３ｄ）に接続した状態でブラケット１７，１８に保持され、直線ユニット６が保持具１５に取り付けられているものとする。
【００３９】
「Ｌ形接続部の離脱」
先ず、保持具１５からＬ形接続部３を取り外すとともに、押え金具ｂの締付状態を解除する。次いで、ブラケット１８と電力ケーブルＣ２との保持状態を解除する。なお、電力ケーブルＣ１はブラケット１７に保持されたままである。しかる後、直線ユニット６（メス端子６ａ，６ｂ）と端子機構３Ｂ（オス端子３ｅ）との接続状態を解除してＬ形接続部３及び直線ユニット６を分解する。
【００４０】
「Ｔ形接続部の装着」
ここで、既に、直線ユニット５とＬ形接続部２が接続された状態であり、また、Ｌ形接続部３が組み立てされた状態となっており、ヨ字形となるように組み立てを行う。先ず、Ｔ形接続部４を電力ケーブルＣ３に対して組み立てる。次いで、直線ユニット５に対してＴ形接続部４（端子機構４Ｂ）を接続し、押え金ｃ具を締め付け、ブラケット１８に電力ケーブルＣ３を保持する。続いて、Ｔ形接続部４に対して直線ユニット６を接続し、押え金具ｄを締め付け、直線ユニット６に対してＬ形接続部３を接続し、押え金具ｂを締め付けて、ブラケット２２に電力ケーブルＣ２を保持する。
【００４１】
なお、ヨ字形（３分岐型）の柱上用Ｔ分岐接続部からＵ字形（直接接続部型）のケーブル接続部構造に変更するには、Ｔ形接続部４を離脱してＬ形接続部２，３及び直線ユニット５，６を組み立てることにより行うことができる。
【００４２】
[実施の形態の効果]
以上説明した実施の形態によれば、次に示す効果が得られる。
【００４３】
（１）Ｕ字形のケーブル接続部構造からヨ字形の柱上用Ｔ分岐接続部に変更しても直線ユニット及び電力ケーブルをそのまま用いる（再利用する）ことができ、Ｕ字形のケーブル接続部構造用の構成部品を廃棄する必要がなくなる。
【００４４】
（２）ケーブル接続部構造の変更に伴い電力ケーブルを切断する必要がないため、従来のようには電力ケーブルを新規に布設する必要がなく、大掛かりな布設工事が不要になる。
【００４５】
（３）ヨ字形の柱上用Ｔ分岐接続部からＵ字形のケーブル接続部構造に変更する場合にも、Ｔ形接続部４を離脱してＬ形接続部２，３及び直線ユニット５，６を組み立てることにより対応することができ、従来のようには構成部品が無駄になることがない。
【００４６】
（４）電柱上にケーブル接続部構造を設置するものであるため、土木工事が不要になり、ケーブル接続部構造の変更に費やす工期を短縮することができる。
【００４７】
（５）柱上用Ｔ分岐接続部の全体が平面ヨ字状を呈するため、Ｌ形接続部及びＴ形接続部を平面的に設置することができ、電柱上におけるケーブル接続部構造の設置スペースを小さくすることができる。
【００４８】
なお、本発明は、上記した実施の形態に限定されず、本発明の技術思想を逸脱あるいは変更しない範囲内で種々な変形が可能である。例えば、ケーブルの接続については平面ヨ字状以外の接続も可能であり、電力ケーブルＣ１、Ｃ２と電力ケーブルＣ３とが９０度の角度を有するように接続されても良く、電力ケーブルＣ１、Ｃ２と電力ケーブルＣ３とが１８０度の角度を有するように接続されても良い。
【図面の簡単な説明】
【００４９】
【図１】本発明の実施の形態に係る柱上用Ｔ分岐接続部を示す断面図。
【図２】本発明の実施の形態に係る柱上用Ｔ分岐接続部（ヨ字形のケーブル接続部構造）にＵ字形のケーブル接続構造から変更する方法について説明するため断面図。
【図３】本発明の実施の形態に係る柱上用Ｔ分岐接続部（ヨ字形のケーブル接続部構造）にＵ字形のケーブル接続構造から変更する方法について説明するためのＵ字形のケーブル接続構造を示す部分断面図。
【符号の説明】
【００５０】
１…柱上用Ｔ分岐接続部、２，３…Ｌ形接続部、２Ａ，３Ａ…Ｌ形ターミネーター本体、２Ｂ，３Ｂ，４Ｂ…端子機構、２ａ，３ａ，４ａ…第１膨出部、２ｂ，３ｂ，４ｂ…第２膨出部、２ｃ，３ｃ，４ｅ…当接部、２ｄ，３ｄ，４ｆ…圧縮スリーブ、２ｅ，３ｅ，４ｇ，４ｈ…オス端子、４…Ｔ形接続部、４ｃ…第３膨出部、４ｄ…第４膨出部、５，６…直線ユニット、５Ａ，５Ｂ…凹部、５ａ…メス端子、７，１３…検電機構、８…ＡＣＰテープ、９，１４…接地線付銅板、１０…Ｃテープ、１１…Ｕテープ、１２…Ｓテープ、１５，１９…保持具、１６，２１…含浸黄麻布、１７，１８，２２…ブラケット、２０…受具、ａ，ｂ，ｃ，ｄ…押え金具、ｅ，ｆ…締付ボルト、Ｃ１，Ｃ２，Ｃ３…電力ケーブル
【図１】
2008109734.tif 000003
【図２】
2008109734.tif 000004
【図３】
2008109734.tif 000005